(57)【要約】【課題】入賞口へ入賞せずに流下してきた遊技球がアウト口の周辺に滞留して球詰まりが発生したり、滞留した遊技球が不正行為者によって操作される磁石で吸着されたりする不都合を未然に防ぐことができる遊技機を提供する。【解決手段】アウト口１７の左右一側方には一側区画レール４１をアウト口１７よりも透明部材側へ突出した状態、且つ上面がアウト口１７側から遊技領域６の一側へ向けて円弧状に上り傾斜した状態にして設け、アウト口１７の左右他側方には、他側区画レール４６をアウト口１７よりも透明部材側へ突出した状態、且つ上面がアウト口１７側から遊技領域６の他側へ向けて円弧状に上り傾斜した状態にして設け、一側区画レール４１の上面の傾斜下端を他側区画レール４６の上面の傾斜下端よりも上方に配置し、一側区画レール４１の上面の傾斜下端の下方には、遊技球が衝突可能な球誘導部５１を設けた。【選択図】図２
2010268892.tif 000002
【特許請求の範囲】
【請求項１】
遊技盤の表面には、発射装置により発射された遊技球が流下する遊技領域を区画形成し、該遊技領域には、遊技球が入賞可能な入賞口と、該入賞口へ入賞せずに流下してきた遊技球を遊技領域の外方へ排出するアウト口と、を備え、遊技領域の前方を透明部材で被覆し、該透明部材を通して遊技領域を視認可能とした遊技機において、
前記アウト口は、遊技盤のうち遊技領域の最下端部となる箇所を開口して形成され、
前記アウト口の左右一側方には、遊技領域の下縁部の一側寄りを区画する一側区画レールをアウト口よりも透明部材側へ突出した状態、且つ上面がアウト口側から遊技領域の一側へ向けて円弧状に上り傾斜した状態にして設け、
前記アウト口の左右他側方には、遊技領域の下縁部の他側寄りを区画する他側区画レールをアウト口よりも透明部材側へ突出した状態、且つ上面がアウト口側から遊技領域の他側へ向けて円弧状に上り傾斜した状態にして設け、
前記一側区画レールの上面の傾斜下端を他側区画レールの上面の傾斜下端よりも上方に配置し、
前記一側区画レールの上面の傾斜下端の下方には、遊技球が衝突可能な球誘導部を設けたことを特徴とする遊技機。
【請求項２】
前記球誘導部を透明部材側から遊技盤側へ延在させ、該球誘導部のうち遊技盤側に位置する端部を、アウト口の開口縁のうち一側区画レール側に位置する箇所に近接または当接したことを特徴とする請求項１に記載の遊技機。
【請求項３】
前記球誘導部は、当該球誘導部の遊技盤側から透明部材側へ向かうにつれて次第に他側区画レール側へ近づく誘導傾斜面を有することを特徴とする請求項１または請求項２に記載の遊技機。
【請求項４】
前記一側区画レールは、一側レール本体と、該一側レール本体の上面を被覆する一側レールカバーと、をそれぞれアウト口側から遊技領域の一側へ向けて円弧状に上り傾斜させて備え、
前記球誘導部を一側レールカバーの傾斜下端から下方へ向けて延設したことを特徴とする請求項１から請求項３のいずれかに記載の遊技機。
【請求項５】
前記他側区画レールは、他側レール本体と、該他側レール本体の上面を被覆する他側レールカバーと、をそれぞれアウト口側から遊技領域の他側へ向けて円弧状に上り傾斜させて備え、
前記他側レールカバーの上面には、他側レール本体の上面よりも遊技球へ与える抵抗力を大きくして遊技球の転動勢を減衰可能な球制動手段を備えたことを特徴とする請求項１から請求項４のいずれかに記載の遊技機。
【請求項６】
前記球制動手段は、他側レールカバーの上面に複数の点状突起を突設して構成されたことを特徴とする請求項５に記載の遊技機。
【請求項７】
前記球制動手段は、他側レールカバーの上面に複数の突条を他側レールカバーの傾斜方向とは交差する方向へ延在する姿勢で突設して構成されたことを特徴とする請求項５に記載の遊技機。
【発明の詳細な説明】
【技術分野】
【０００１】
本発明は、遊技盤の前面には、発射手段により発射された遊技球が流下する遊技領域を区画形成し、該遊技領域には、遊技球が入賞可能な入賞口と、該入賞口へ入賞せずに流下してきた遊技球を遊技領域の外方へ排出するアウト口と、を備え、遊技領域の前方を透明部材で被覆し、該透明部材を通して遊技領域を視認可能としたパチンコ遊技機等の遊技機に関する。
【背景技術】
【０００２】
従来の遊技機、例えば、パチンコ遊技機においては、遊技盤の前面に円形状の遊技領域を区画形成し、該遊技領域には入賞口を備え、発射装置から発射された遊技球が遊技領域内へ飛入し、入賞口へ入賞したり、入賞口へ入賞せずに流下したりして遊技を実行するように構成されている。また、遊技領域の下端部にはアウト口を開設し、入賞口へ入賞せずに流下してきた遊技球をアウト口へ通して遊技領域の外方へ排出するように構成されている。さらに、アウト口を遊技領域の下縁部（具体的には遊技領域の下縁部を区画する円弧状の内レール）よりも一段低い位置に設定し、遊技領域の下縁部へ流下してきた遊技球を迅速にアウト口へ移動できるように構成したパチンコ遊技機が提案されている（例えば、特許文献１参照）。
【先行技術文献】
【特許文献】
【０００３】
【特許文献１】特開平９−０９４３２５号公報
【発明の概要】
【発明が解決しようとする課題】
【０００４】
ところで、近年では、遊技領域の中央部に大型の表示装置（包囲枠体）を配置する傾向にある。大型の表示装置を遊技領域の中央部に配置すると、遊技領域は、遊技球が流下可能となる部分（球通路）を遊技領域の左右各側縁部に沿って縦長な円弧状に形成し、当該球通路の下端をアウト口の側方に臨ませる。また、表示装置の大型化に伴って障害釘の数が従来よりも減少し、遊技領域内を流下する遊技球の流下勢が減衰し難くなる。このように形成された球通路の一方に遊技球を流下させると、この遊技球は、流下勢を減衰させずに球通路の下端部へ到達し、アウト口の前方を通過して他方の球通路の下部へ進入してしまう。
【０００５】
したがって、アウト口を遊技領域の下縁部よりも一段低く設定したとしても、遊技球をアウト口へ迅速に誘導することができない。そして、入賞口へ入賞せずに流下してきた遊技球がアウト口の周辺に滞留して球詰まりが発生したり、滞留した遊技球が不正行為者によって操作される磁石で吸着されたりする不都合が発生してしまう。特に、遊技球が磁石で不正に吸着され続けた場合には、この吸着状態の遊技球の上に後続の遊技球が次々と積み重なり、やがて入賞口まで到達して不正に入賞口へ入賞してしまうという不正行為を引き起こされてしまう。
【０００６】
そこで、本発明は、上記の事情に鑑みてなされたものであり、その目的は、入賞口へ入賞せずに流下してきた遊技球がアウト口の周辺に滞留して球詰まりが発生したり、滞留した遊技球が不正行為者によって操作される磁石で吸着されたりする不都合を未然に防ぐことができる遊技機を提供しようとするものである。
【課題を解決するための手段】
【０００７】
本発明は、上記目的を達成するために提案されたものであり、請求項１に記載のものは、遊技盤の表面には、発射装置により発射された遊技球が流下する遊技領域を区画形成し、該遊技領域には、遊技球が入賞可能な入賞口と、該入賞口へ入賞せずに流下してきた遊技球を遊技領域の外方へ排出するアウト口と、を備え、遊技領域の前方を透明部材で被覆し、該透明部材を通して遊技領域を視認可能とした遊技機において、
前記アウト口は、遊技盤のうち遊技領域の最下端部となる箇所を開口して形成され、
前記アウト口の左右一側方には、遊技領域の下縁部の一側寄りを区画する一側区画レールをアウト口よりも透明部材側へ突出した状態、且つ上面がアウト口側から遊技領域の一側へ向けて円弧状に上り傾斜した状態にして設け、
前記アウト口の左右他側方には、遊技領域の下縁部の他側寄りを区画する他側区画レールをアウト口よりも透明部材側へ突出した状態、且つ上面がアウト口側から遊技領域の他側へ向けて円弧状に上り傾斜した状態にして設け、
前記一側区画レールの上面の傾斜下端を他側区画レールの上面の傾斜下端よりも上方に配置し、
前記一側区画レールの上面の傾斜下端の下方には、遊技球が衝突可能な球誘導部を設けたことを特徴とする遊技機である。
【０００８】
請求項２に記載のものは、前記球誘導部を透明部材側から遊技盤側へ延在させ、該球誘導部のうち遊技盤側に位置する端部を、アウト口の開口縁のうち一側区画レール側に位置する箇所に近接または当接したことを特徴とする請求項１に記載の遊技機である。
【０００９】
請求項３に記載のものは、前記球誘導部は、当該球誘導部の遊技盤側から透明部材側へ向かうにつれて次第に他側区画レール側へ近づく誘導傾斜面を有することを特徴とする請求項１または請求項２に記載の遊技機である。
【００１０】
請求項４に記載のものは、前記一側区画レールは、一側レール本体と、該一側レール本体の上面を被覆する一側レールカバーと、をそれぞれアウト口側から遊技領域の一側へ向けて円弧状に上り傾斜させて備え、
前記球誘導部を一側レールカバーの傾斜下端から下方へ向けて延設したことを特徴とする請求項１から請求項３のいずれかに記載の遊技機である。
【００１１】
請求項５に記載のものは、前記他側区画レールは、他側レール本体と、該他側レール本体の上面を被覆する他側レールカバーと、をそれぞれアウト口側から遊技領域の他側へ向けて円弧状に上り傾斜させて備え、
前記他側レールカバーの上面には、他側レール本体の上面よりも遊技球へ与える抵抗力を大きくして遊技球の転動勢を減衰可能な球制動手段を備えたことを特徴とする請求項１から請求項４のいずれかに記載の遊技機である。
【００１２】
請求項６に記載のものは、前記球制動手段は、他側レールカバーの上面に複数の点状突起を突設して構成されたことを特徴とする請求項５に記載の遊技機である。
【００１３】
請求項７に記載のものは、球制動手段は、他側レールカバーの上面に複数の突条を他側レールカバーの傾斜方向とは交差する方向へ延在する姿勢で突設して構成されたことを特徴とする請求項５に記載の遊技機である。
【発明の効果】
【００１４】
本発明によれば、以下のような優れた効果を奏する。
請求項１に記載の発明によれば、アウト口は、遊技盤のうち遊技領域の最下端部となる箇所を開口して形成され、アウト口の左右一側方には、遊技領域の下縁部の一側寄りを区画する一側区画レールをアウト口よりも透明部材側へ突出した状態、且つ上面がアウト口側から遊技領域の一側へ向けて円弧状に上り傾斜した状態にして設け、アウト口の左右他側方には、遊技領域の下縁部の他側寄りを区画する他側区画レールをアウト口よりも透明部材側へ突出した状態、且つ上面がアウト口側から遊技領域の他側へ向けて円弧状に上り傾斜した状態にして設け、一側区画レールの上面の傾斜下端を他側区画レールの上面の傾斜下端よりも上方に配置し、一側区画レールの上面の傾斜下端の下方には、遊技球が衝突可能な球誘導部を設けたので、遊技球が他側区画レール上を勢いよく転動してきても、この遊技球がアウト口の前方を通過して球誘導部に衝突して勢いを失い、これにより一側区画レール上へ乗り上がることを阻止することができる。したがって、入賞口へ入賞せずに流下してきた遊技球がアウト口の周辺に滞留して球詰まりが発生したり、滞留した遊技球が不正行為者によって操作される磁石で吸着されたりする不都合を未然に防ぐことができる。
【００１５】
請求項２に記載の発明によれば、球誘導部を透明部材側から遊技盤側へ延在させ、該球誘導部のうち遊技盤側に位置する端部を、アウト口の開口縁のうち一側区画レール側に位置する箇所に近接または当接したので、球誘導部に衝突した遊技球をアウト口へ迅速に誘導することができる。
【００１６】
請求項３に記載の発明によれば、球誘導部は、当該球誘導部の遊技盤側から透明部材側へ向かうにつれて次第に他側区画レール側へ近づく誘導傾斜面を有するので、他側区画レール上から一側区画レール側へ移動してきた遊技球を誘導傾斜面に衝突させてアウト口側へ向けて弾くことができ、遊技球をアウト口へ一層迅速に誘導することができる。
【００１７】
請求項４に記載の発明によれば、一側区画レールは、一側レール本体と、該一側レール本体の上面を被覆する一側レールカバーと、をそれぞれアウト口側から遊技領域の一側へ向けて円弧状に上り傾斜させて備え、球誘導部を一側レールカバーの傾斜下端から下方へ向けて延設したので、球誘導部が遊技球に衝突されて損傷した場合には、一側レールカバーの新品を別個用意して交換すれば、球誘導部を簡単に復旧することができる。
【００１８】
請求項５に記載の発明によれば、他側区画レールは、他側レール本体と、該他側レール本体の上面を被覆する他側レールカバーと、をそれぞれアウト口側から遊技領域の他側へ向けて円弧状に上り傾斜させて備え、他側レールカバーの上面には、他側レール本体の上面よりも遊技球へ与える抵抗力を大きくして遊技球の転動勢を減衰可能な球制動手段を備えたので、遊技球の転動勢を他側区画レール上からアウト口の前方や球誘導部へ到達するまでの間に十分に減衰することができ、遊技球をアウト口へより一層誘導し易くすることができる。
【００１９】
請求項６に記載の発明によれば、球制動手段を、他側レールカバーの上面に複数の点状突起を突設して構成したので、球制動手段を簡単な構造で実現することができる。
【００２０】
請求項７に記載の発明によれば、球制動手段は、他側レールカバーの上面に複数の突条を他側レールカバーの傾斜方向とは交差する方向へ延在する姿勢で突設して構成されたので、球制動手段を点状突起とは異なる簡単な構造で実現することができる。
【図面の簡単な説明】
【００２１】
【図１】遊技盤の正面図である。
【図２】アウト口の周辺部分の説明図であり、（ａ）は正面図、（ｂ）は平面図である。
【図３】アウト口の周辺部分の分解斜視図である。
【図４】第２実施形態におけるアウト口の周辺部分の説明図であり、（ａ）は正面図、（ｂ）は平面図である。
【図５】第２実施形態におけるアウト口の周辺部分の分解斜視図である。
【図６】第３実施形態における他側レールカバーの説明図である。
【図７】第４実施形態における他側レールカバーの説明図である。
【発明を実施するための形態】
【００２２】
以下、代表的な遊技機であるパチンコ遊技機を例に挙げて本発明の実施の形態を図面に基づき説明する。
パチンコ遊技機の遊技盤１は、図１に示すように、合板やプラスチックなどからなる矩形状の遊技盤本体２を備え、当該遊技盤１の表面、詳しくは遊技盤本体２の前面に枠状の区画部材３を遊技盤本体２の各辺に沿う状態で止着して、遊技球が流下可能な遊技領域６を円形状に区画形成している。また、該遊技領域６の前方を透明部材保持枠に保持されたガラス板等の透明部材（図示せず）で被覆し、該透明部材を通して遊技領域６をパチンコ遊技機の前方から視認可能としている。そして、遊技領域６の中央部には包囲枠体（センターケース）７を配設し、該包囲枠体７の後方には、複数の識別情報を変動表示可能な表示装置８を備えている。さらに、包囲枠体７の上部および左右両側部を区画部材３から遊技球の直径よりも広い間隔で離間して球通路９（上側球通路９ａ、一側（左側）球通路９ｂ、他側（右側）球通路９ｃ）を設定し、遊技球が球通路９を通って包囲枠体７の上方および左右両側方を移動（流下）可能としている。また、包囲枠体７の下方には、変動表示ゲーム始動用の始動入賞口１１（本発明における入賞口の一種）を配置し、包囲枠体７の側方（右側方）には普図始動ゲート１２と、開閉部材１３ａを備えた入賞具１３（本発明における入賞口の一種）とを配置し、包囲枠体７の左下方および右下方には、発光により各種の装飾表示を行うサイドランプ１４を配置し、入賞具１３側（図１中、右側）に位置するサイドランプ１４に一般入賞口１５（本発明における入賞口の一種）を備えている。そして、始動入賞口１１の下方には大入賞口１６（本発明における入賞口の一種）を配置し、該大入賞口１６の下方であって、遊技盤１のうち遊技領域６の最下端部に臨ませた箇所を開口してアウト口１７を形成し、いずれの入賞口（始動入賞口１１、入賞具１３、一般入賞口１５、大入賞口１６）にも入賞せずに流下した遊技球をアウト口１７へ回収し、該アウト口１７から遊技領域６の外方、詳しくは遊技盤１の下方へ排出するように構成されている。
【００２３】
次に、区画部材３について説明する。
区画部材３は、遊技領域６の一側（図１中、左側）を区画し、遊技盤１の下方に配置された発射装置（図示せず）から発射された遊技球を遊技領域６へ案内する発射球案内ユニット２１と、遊技領域６の他側の上部（図１中、右上側）を区画する上側区画部材２２と、遊技領域６の他側の下部（図１中、右下側）を区画する下側区画部材２３とに３分割して構成されている。また、発射球案内ユニット２１の下部と下側区画部材２３の下部との間には短尺筒状のアウト通路形成部２４を設けている（図２および図３参照）。
【００２４】
発射球案内ユニット２１は、遊技領域６の遊技球進入側を区画する部材であり、遊技盤本体２の前面に止着される略Ｃ字状の取付ベース部２６を備え、該取付ベース部２６から遊技盤１の前方（透明部材側）へ向けて発射球案内壁部２７を起立するとともに、遊技盤１の前面の下端側から上端側に亘って円弧状に形成している。また、発射球案内壁部２７の円弧内壁面（遊技領域６側の側面）には、帯状の金属板（例えば、ステンレス鋼板）により形成されたガイドレール２８を添設し、発射球案内壁部２７から内側（遊技領域６側）へ離間した位置には、発射球案内壁部２７と略平行な状態となる円弧状の領域区画壁部２９を形成し、ガイドレール２８と領域区画壁部２９との間に挟まれた円弧状の空間を発射球案内流路３０とし、発射球案内流路３０を移動する遊技球がガイドレール２８に接触して案内されるように構成されている。
【００２５】
さらに、領域区画壁部２９の上端部を発射球案内壁部２７の上端部およびガイドレール２８の上端部よりも低い位置（言い換えると遊技盤１の側部寄り）に設定し、ガイドレール２８の上端部を発射球案内流路３０の上端（出口）よりも遊技領域６の上寄りに配置している。そして、発射球案内流路３０の後側（すなわち遊技盤本体２側）には、取付ベース部２６とともに合成樹脂で一体成形した流路底部３１を備え、該流路底部３１と発射球案内壁部２７と領域区画壁部２９とにより発射球案内流路３０を前方が開放された状態で区画形成している。さらに、発射球案内流路３０の下端（入口）を下方へ開放して発射装置へ連通し、発射装置から発射された遊技球を受け入れて遊技領域６へ向けて案内できるように構成されている。
【００２６】
上側区画部材２２は、遊技盤１の正面から見て右上隅部に配置される部材であり、発射球案内ユニット２１の上端に隣接した状態で止着されている。また、当該上側区画部材２２のうち遊技領域６側の縁部（下縁部）を円弧状に形成するとともに、遊技盤１の側方（右側方）へ向けて下り傾斜させて、遊技領域６の上側から他側（右側）の中央部分に亘って円弧状に区画している。さらに、当該上側区画部材２２のうち遊技領域６側の縁部の途中には、ゴム製の緩衝部材３３を備え、発射球案内流路３０から上側区画部材２２の縁部に沿って飛翔してきた遊技球がこの緩衝部材３３に衝突して下方の遊技領域６（他側球通路９ｃ）へ流下するように構成されている。
【００２７】
下側区画部材２３は、遊技盤１の正面から見て右下隅部に配置される部材であり、発射球案内ユニット２１の下端にアウト口１７を挟んで隣り合う状態であって、且つ上側区画部材２２の下端に隣接した状態で止着されている。また、当該下側区画部材２３のうち遊技領域６側の縁部（上縁部）を円弧状に形成するとともに、上側区画部材２２の下端（右下端）から遊技盤１の下側中央部分へ向けて下り傾斜させている。さらに、下側区画部材２３には、遊技進行に伴って変化する情報を表示可能な表示ユニット３４を備え、該表示ユニット３４には、普通図柄表示器や特別図柄表示器などの電気部品（図示せず）を実装している。
【００２８】
なお、普通図柄表示器は、普図始動ゲート１２への入賞（通過）を契機として普図変動表示ゲーム（補助遊技）を行う表示器であり、例えば数字、記号等の普通図柄（普図）を変動表示するように構成されている。そして、普図変動表示ゲームの表示態様が予め定めた特別の結果態様（当たり）になったときには、始動入賞口１１の開閉部材１１ａが開いて、遊技球が始動入賞口１１へ入賞し易い状態に変換する。また、特別図柄表示器は、始動入賞口１１への入賞を始動条件として特図変動表示ゲーム（特別遊技）を行う表示器であり、例えば数字、記号等の特別図柄（特図）を変動表示するように構成されている。そして、特図変動表示ゲームの表示態様が予め定めた特別の結果態様（大当たり）になったときには、大入賞口１６を所定時間および所定回数だけ開放して、遊技球が大入賞口１６に入賞し易い状態に変換する。
【００２９】
アウト通路形成部２４は、遊技球が通過可能な通路が遊技盤１の表面側から裏面側へ貫通したトンネル状（言い換えると遊技盤１の表裏方向へ貫通した形態）で設定されており、該アウト通路形成部２４を遊技盤本体２の下側に形成された切欠部３６（図３参照）へ嵌合して、遊技盤１上にアウト口１７を構成している。また、アウト通路形成部２４の下縁部を透明部材側へ延出して平面状のアウト球受部３７を後方の遊技盤１側へ下り傾斜した姿勢で形成し、該アウト球受部３７の前端（透明部材側）には、起立板状のアウト通路カバー３８を止着し、該アウト通路カバー３８によりアウト口１７を前方の透明部材側から覆っている。
【００３０】
そして、区画部材３は、図２に示すように、領域区画壁部２９のうちアウト口１７の左右一側方（図２中、左側方）、具体的には発射球案内流路３０側に位置する下側部分を、遊技領域６の下縁部の一側寄り（図２中、左寄り）を区画する一側区画レール４１とし、該一側区画レール４１をアウト口１７よりも透明部材側（前方）へ突出した状態、且つ上面がアウト口１７側から遊技領域６の一側へ向けて円弧状に上り傾斜した状態に形成している。詳しくは、図３に示すように、一側区画レール４１を、領域区画壁部２９に連結された短冊状の一側レール本体４２と、該一側レール本体４２の上面（遊技領域６側に位置する箇所）および前端（透明部材側に位置する箇所）を被覆する一側レールカバー４３とで構成し、一側レール本体４２および一側レールカバー４３をそれぞれアウト口１７側から遊技領域６の一側（図３中、左側）へ向けて円弧状に上り傾斜した状態に形成している。
【００３１】
また、アウト口１７を挟んで発射球案内流路３０とは反対側に配置された下側区画部材２３のうち、アウト口１７の左右他側方（図２中、右側方）に位置する箇所、具体的には下側区画部材２３の上縁部には、遊技領域６の下縁部の他側寄り（図２中、右寄り）を区画する他側区画レール４６をアウト口１７よりも透明部材側へ突出した状態、且つ上面がアウト口１７側から遊技領域６の他側へ向けて円弧状に上り傾斜した状態にして設けている。詳しくは、図３に示すように、他側区画レール４６を、下側区画部材２３の上縁部に形成された短冊状の他側レール本体４７と、該他側レール本体４７の上面（遊技領域６側に位置する箇所）および前端（透明部材側に位置する箇所）を被覆する他側レールカバー４８とで構成し、他側レール本体４７および他側レールカバー４８をそれぞれアウト口１７側から遊技領域６の他側（図３中、右側）へ向けて円弧状に上り傾斜した状態に形成している。
【００３２】
さらに、図２に示すように、一側区画レール４１の上面（一側レールカバー４３の上面）の傾斜下端を他側区画レール４６の上面（他側レールカバー４８の上面）の傾斜下端よりも上方に配置し、一側区画レール４１の上面の傾斜下端と他側区画レール４６の上面の傾斜下端との高低差ｈを遊技球が乗り越え不能な寸法（例えば、遊技球の半径以上の寸法）に設定している。また、一側区画レール４１の上面の傾斜下端の下方には、遊技球が衝突可能な球誘導部５１を透明部材側から遊技盤１側へ延在する姿勢で備えている。具体的に説明すると、一側レールカバー４３の傾斜下端から舌片状の球誘導部５１を下方へ向けて延設（垂設）して一側レールカバー４３と球誘導部５１とを一体成型し、球誘導部５１をアウト通路カバー３８とアウト通路形成部２４との間に配置し、遊技盤１の表裏方向に沿った姿勢（詳しくは遊技盤本体２の表面と直交する姿勢）に設定している。そして、球誘導部５１のうち遊技盤１側に位置する端部（後端部）をアウト口１７の開口縁のうち一側区画レール４１側に位置する箇所に近接または当接し、球誘導部５１のうち透明部材側に位置する端部（前端部）をアウト通路カバー３８へ近接または当接し、球誘導部５１の下端をアウト球受部３７に近接または当接している。
【００３３】
このような構成の区画部材３を遊技盤１に備えて、発射装置から遊技球を発射すると、この遊技球は、発射球案内流路３０を通って遊技領域６の上部へ飛入する。このとき、遊技球の発射勢（移動勢）が強い場合には、ガイドレール２８および上側区画部材２２の縁部に沿って上側球通路９ａを通過して緩衝部材３３に衝突し、下方の他側球通路９ｃへ流下する。さらに、入賞具１３や一般入賞口１５等に入賞せずに他側区画レール４６上へ落下すると、他側区画レール４６上（他側レールカバー４８上）をアウト口１７側へ向けて勢いよく転動する。そして、他側区画レール４６の傾斜下端から飛び出してアウト口１７の前方を通過し、一側区画レール４１の傾斜下端に到達する。
【００３４】
ここで、一側区画レール４１の上面の傾斜下端を他側区画レール４６の上面の傾斜下端よりも上方に配置し、一側区画レール４１の上面の傾斜下端の下方には球誘導部５１を設けているので、一側区画レール４１の傾斜下端に到達した遊技球は、一側区画レール４１上に乗り上がることや一側区画レール４１の下方に潜り込むことを阻止され、球誘導部５１に衝突して移動勢を減衰させる。さらに、球誘導部５１からアウト口１７側の前方へ跳ね返ってアウト球受部３７上を流下（転動）したり、あるいは球誘導部５１に沿ってアウト球受部３７上を流下したりして、アウト口１７へ誘導される。したがって、遊技球が一側区画レール４１と他側区画レール４６との間を行ったり来たりすることを抑えることができ、アウト口１７の周辺に到達した遊技球を遊技領域６の外方へ迅速に排出することができる。これにより、入賞口へ入賞せずに流下してきた遊技球がアウト口１７の周辺に滞留して球詰まりが発生したり、滞留した遊技球が不正行為者によって操作される磁石で吸着されたりする不都合を未然に防ぐことができる。ひいては、磁石で吸着された遊技球の上に後続の遊技球が次々と積み重なり、やがて一般入賞口１５、大入賞口、始動入賞口１１、入賞具１３まで到達して不正に入賞してしまうという不正行為を阻止することができる。
【００３５】
また、球誘導部５１のうち遊技盤１側に位置する端部を、アウト口１７の開口縁のうち一側区画レール４１側に位置する箇所に近接または当接しているので、遊技球が球誘導部５１に沿って転動する場合には、この遊技球をアウト口１７へ迅速に誘導することができる。そして、球誘導部５１を一側レールカバー４３の傾斜下端から延設しているので、球誘導部５１が遊技球に衝突されて損傷した場合には、一側レールカバー４３の新品を別個用意して交換すれば、球誘導部５１を簡単に復旧することができる。なお、球誘導部５１をゴム等の弾性変形可能な部材（弾性部材）で形成し、遊技球の衝突時に球誘導部５１を弾性変形させれば、球誘導部５１が遊技球の運動エネルギーを効率よく吸収することができる。これにより、遊技球の移動勢を十分に減衰することができて好適である。
【００３６】
ところで、上記実施形態では、球誘導部５１を遊技盤本体２の表面と直交させたが、本発明はこれに限定されない。例えば、図４および図５に示す第２実施形態においては、球誘導部５１は、当該球誘導部５１の遊技盤１側から透明部材側へ向かうにつれて次第に他側区画レール４６側（図４（ｂ）中、左側）へ近づく誘導傾斜面５３を有してアウト口１７の前方に臨ませている（図４（ｂ）および図５参照）。そして、誘導傾斜面５３のうち遊技盤本体２側に位置する端部（後端部）をアウト口１７の開口縁のうち一側区画レール４１側に位置する箇所に近接または当接している。このような構成の誘導傾斜面５３を球誘導部５１に形成し、遊技球が他側区画レール４６の傾斜下端から一側区画レール４１側へ向けて飛翔すれば、球誘導部５１は、この遊技球を誘導傾斜面５３に衝突させてアウト口１７側へ向けて弾くことができ、遊技球をアウト口１７へ一層迅速に誘導することができる。なお、第２実施形態における球誘導部５１は、誘導傾斜面５３とアウト口１７の開口縁（言い換えると遊技盤本体２の表面）とのなす角（傾斜角度）を４５度に設定したが、誘導傾斜面５３に衝突した遊技球をアウト口１７側へ向けて弾くことができれば、どのような角度に設定してもよい。さらに、球誘導部５１は、誘導傾斜面５３を備えた板状部材に限らず、横棒で形成してもよい。
【００３７】
ところで、上記各実施形態では、他側区画レール４６の上面（詳しくは他側レールカバー４８の上面）を滑らかな曲面で形成して、遊技球の移動勢が他側区画レール４６上で減衰しないように構成したが、本発明はこれに限定されない。例えば、図６に示す第３実施形態、および図７に示す第４実施形態においては、他側レールカバー４８の上面に球制動手段５６を備え、該球制動手段５６が遊技球（詳しくは、他側レールカバー４８上を転動する遊技球）へ与える抵抗力を、他側レール本体４７の上面が遊技球へ与える抵抗力（詳しくは、他側レール本体４７の円弧状上面に遊技球を転動させた場合に他側レール本体４７の上面が遊技球へ与える抵抗力）よりも大きくして、他側区画レール４６上の遊技球の転動勢（移動勢）を減衰するように構成している。具体的に説明すると、第３実施形態においては、図６に示すように、他側レールカバー４８の上面に複数の点状突起５７を突設して球制動手段５６を構成し、第４実施形態においては、図７に示すように、他側レールカバー４８の上面に複数の突条５８を他側レールカバー４８の傾斜方向（長手方向）とは交差する方向、詳しくは他側レールカバー４８の傾斜方向と直交する方向へ延在する姿勢で突設して球制動手段５６を構成している。
【００３８】
このような構成の球制動手段５６を他側レールカバー４８の上面に備え、他側レールカバー４８の上面に遊技球を転動させれば、遊技球の底部が点状突起５７や突条５８に次々と衝突する。したがって、この遊技球の転動勢を他側区画レール４６上からアウト口１７の前方や球誘導部５１へ到達するまでの間に十分に減衰することができ、遊技球をアウト口１７へより一層誘導し易くすることができる。また、球制動手段５６を点状突起５７や複数の突条５８で構成すれば、球制動手段５６を簡単な構造で実現することができる。
【００３９】
なお、球制動手段５６として突設される突条５８は、他側レールカバー４８の傾斜方向と直交する一直線状に形成されることに限定されない。要は、他側区画レール４６上を転動している遊技球に抵抗力を与えて転動勢を減衰できれば、どのような形状に形成されていてもよい。例えば、突条を透明部材側から遊技盤本体２側（遊技盤１側）へ向かうにつれて次第に一側区画レール４１側へ近づく傾斜直線状に形成してもよい。また、突条の中間部分（透明部材側の端部と遊技盤本体２側の端部の間に位置する箇所）を屈曲してＶ字状に形成し、屈曲部分（Ｖ字の尖端に相当する部分）を透明部材側の端部や遊技盤本体２側の端部よりもアウト口１７寄りに配置したり、あるいは一側区画レール４１の傾斜上端寄りに配置したりしてもよい。
【００４０】
さらに、上記実施形態では、他側レールカバー４８の上面に突出物（突起や突条）を形成して球制動手段５６を構成したが、本発明はこれに限定されない。例えば、点状の凹み部や溝を形成し、凹み部の縁や溝の縁に遊技球の底部を衝突させて遊技球の転動勢を減衰するようにしてもよい。また、他側レールカバー４８の上面を、他側レール本体４７の上面よりも軟らかな軟質ゴム等の軟質部材で形成し、遊技球の自重により軟質部材を変形させて遊技球の表面と他側レールカバー４８の上面との接触面積を広くすることで、遊技球の転動勢を減衰するようにしてもよい。
【００４１】
そして、上記実施形態では、他側レールカバー４８と遊技球との接触により遊技球の転動勢を減衰するように構成したが、本発明はこれに限定されず、他側区画レール４６上の遊技球を遊技盤本体２の表面（前面）に摺動させて遊技球の転動勢を減衰するようにしてもよい。具体的には、他側区画レール４６の上面（詳しくは他側レールカバー４８の上面）をアウト口１７側から遊技領域６の他側へ向けて円弧状に上り傾斜した状態、且つ透明部材側（当該他側区画レール４６の突出端側）から遊技盤１側へ向けて下り傾斜した状態に設定する。このような傾斜状態の上面を備えた他側区画レール４６上に遊技球を転動すると、この遊技球は、他側区画レール４６上をアウト口１７側へ転動しながら遊技盤本体２側へ近づき、やがて遊技盤本体２の表面上を摺動する。この結果、遊技球に遊技盤本体２との摩擦力を遊技球の転動方向とは反対方向に与えることができ、他側区画レール４６に球制動手段を備えなくても、遊技球の転動勢を減衰させることができる。
【００４２】
ところで、上記実施形態では、一側レールカバー４３に球誘導部５１を備えたが、本発明はこれに限定されない。要は、一側区画レール４１の上面の傾斜下端の下方に球誘導部５１を設けていればよく、例えば、球誘導部を一側区画レール４１とは別個に遊技盤本体２の表面と透明部材との間に設けてもよい。また、上記実施形態では、遊技盤１の右側に一側区画レール４１を配置し、左側に他側区画レール４６を配置したが、本発明はこれに限定されない。すなわち、遊技盤１の左側に一側区画レールを配置し、右側に他側区画レールを配置してもよい。
【００４３】
そして、上記実施形態では、代表的な遊技機であるパチンコ遊技機を例にして説明したが、本発明はこれに限らず、遊技盤の表面には、発射装置により発射された遊技球が流下する遊技領域を区画形成し、該遊技領域には、遊技球が入賞可能な入賞口と、該入賞口へ入賞せずに流下してきた遊技球を遊技領域の外方へ排出するアウト口と、を備え、遊技領域の前方を透明部材で被覆し、該透明部材を通して遊技領域を視認可能とした遊技機であればどのような遊技機でもよい。例えば、封入球式パチンコ機、アレンジボール式遊技機、雀球式遊技機等の遊技機であってもよい。
【００４４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００４５】
１  遊技盤
２  遊技盤本体
３  区画部材
６  遊技領域
７  包囲枠体
９  球通路
１３  入賞具
１５  一般入賞口
１６  大入賞口
１７  アウト口
２１  発射球案内ユニット
２２  上側区画部材
２３  下側区画部材
２４  アウト通路形成部
２８  ガイドレール
２９  領域区画壁部
３０  発射球案内流路
３７  アウト球受部
３８  アウト通路カバー
４１  一側区画レール
４２  一側レール本体
４３  一側レールカバー
４６  他側区画レール
４７  他側レール本体
４８  他側レールカバー
５１  球誘導部
５３  誘導傾斜面
５６  球制動手段
５７  突起
５８  突条
【図１】
2010268892.tif 000003
【図２】
2010268892.tif 000004
【図３】
2010268892.tif 000005
【図４】
2010268892.tif 000006
【図５】
2010268892.tif 000007
【図６】
2010268892.tif 000008
【図７】
2010268892.tif 000009